(57)【要約】 【課題】  インバータ装置において専用の外部端子の数を削減し、インバータ装置を小形にする。【解決手段】交流電源を整流するコンバータ部とコンバータの出力電圧を平滑する平滑コンデンサと直流電圧を可変電圧・可変周波の交流電圧に変換するインバータ部からなるインバータ主回路部（１）と、インバータ主回路部パワートランジスタのゲートを駆動するゲート駆動回路（３）と、ＣＰＵ（４）と、接点入力端子とを備えたインバータ装置において、Ｉ／Ｏインターフェイス部（９）とカウンタ（１０）と端子機能切替部（６）とからなるゲートアレー（１３）を備え端子機能切替部（６）はゲートアレー（１３）への入力信号をＩ／Ｏインターフェイス部（９）またはカウンタ（１０）へ切替えるものである。【選択図】  図２
2009027864.tif 000002
【特許請求の範囲】
【請求項１】
交流電源を整流するコンバータ部とコンバータの出力電圧を平滑する平滑コンデンサと直流電圧を可変電圧・可変周波の交流電圧に変換するインバータ部からなるインバータ主回路部と、インバータ主回路部パワートランジスタのゲートを駆動するゲート駆動回路と、ＣＰＵと、接点入力端子とを備えたインバータ装置において、
Ｉ／Ｏインターフェイス部とカウンタと端子機能切替部とからなるゲートアレーを備え
前記端子機能切替部は前記ゲートアレーへの入力信号を前記Ｉ／Ｏインターフェイス部または前記カウンタへ切替えることを特徴とするインバータ装置。  
【請求項２】
前記Ｉ／Ｏインターフェイス部は前記ゲートアレーへの入力信号レベルを検出してその大きさに基づいて接点入力端子信号かデジタルパルス信号を出力する回転検出器のデジタルパルス信号かを判別し切替えるものである請求項１記載のインバータ装置。  
【請求項３】
前記端子機能切替部をインバータのデータ初期設定の際に該当する外部端子を接点入力信号用とするかあるいは回転検出器のデジタルパルス信号用とするかをパラメータ設定したことを特徴とする請求項１記載のインバータ装置。
【発明の詳細な説明】
【技術分野】
【０００１】
本発明は、負荷を駆動するインバータ主回路に駆動回路部を介して制御信号を与えることにより、負荷の駆動を制御する制御回路を備えたインバータ装置に関する。
【背景技術】
【０００２】
図３は、従来技術のインバータ装置の構成を示す図である。図３において、１はインバータ主回路部、２はモータ、３はインバータ主回路部パワートランジスタ（ＩＧＢＴ）のゲートを駆動するゲート駆動回路、４はＣＰＵ、５はゲートアレー、７と２０は電気信号を電気絶縁部する絶縁部、８は絶縁部７を介してゲートアレー５へ入力する接点入力端子、９はＩ／Ｏインターフェイス部、１０はカウンタ、１９は回転検出器、１６は回転検出器から出力されるＡ相信号、１７はＢ相信号、１８はＣ相信号、２１はカウンタ、２２は外部端子である。インバータ主回路部１は商用電源を整流するコンバータ部とコンバータの出力電圧を平滑する平滑コンデンサと直流電圧を可変電圧・可変周波の交流電圧に変換するインバータ部から構成している。
従来のインバータ装置においては、回転検出器（１９）専用の外部端子２２と接点入力端子８は別々に準備されていた。そのため専用基板や専用端子を必要とし、これらを取り付けるためのスペースの確保が必要であった。インバータ装置において回転検出器は用途依存するので必ずしもいつも使用するとは限らなかった。
【特許文献１】特許第３４２２９１６号公報
【発明の開示】
【発明が解決しようとする課題】
【０００３】
従来方法では、パルス信号を入力する端子と汎用入力端子を別々に準備する必要があり、もしくは、パルス信号入力用に別の基板を準備する必要があり、そのためのスペースを確保する必要があった。インバータ装置をパスポートサイズ程度に小形化するためには外部端子の数にも自ずから限界がある。
本発明はこのような問題点に鑑みてなされたものであり、インバータ装置において専用の外部端子の数を削減し、パルス信号検出機能をもったインバータ装置を小形にすることを目的とする。
【課題を解決するための手段】
【０００４】
上記問題を解決するため、本発明は、次のようにしたのである。
入力状態を監視でき、かつ、パルス信号をカウントできる機能を合わせもったポートを準備し、外部信号もしくソフトウェアによってそのポート機能の切替を行い、汎用入力とカウントする機能を切り替える手段をとったのである。
【発明の効果】
【０００５】
請求項１に記載の発明によると、これまで必要であった専用の外部端子の削減を行うことができ、そのスペースを他の用途に流用することができる。また、請求項２に記載の発明によると、入力ポートの削減をすることができる。
【発明を実施するための最良の形態】
【０００６】
以下、本発明の方法の具体的実施例について、図に基づいて説明する。
【実施例１】
【０００７】
図１は、本発明のインバータ装置の構成を示す図である。図１において、１はインバータ主回路部、２はモータ、３はインバータ主回路部パワートランジスタ（ＩＧＢＴ）のゲートを駆動するゲート駆動回路、４はＣＰＵ、５はゲートアレー、６は端子機能切替部、７はゲートアレー５へ入力する電気信号を電気絶縁部する絶縁部、８は絶縁部７を介してゲートアレー５へ入力する接点入力端子、９はＩ／Ｏインターフェイス部、１０はカウンタである。インバータ主回路部１は商用電源を整流するコンバータ部とコンバータの出力電圧を平滑する平滑コンデンサと直流電圧を可変電圧・可変周波の交流電圧に変換するインバータ部から構成している。
【０００８】
回転検出器１９からの位置または速度フィードバック信号を使わない場合（図１）は、接点入力端子８からの接点入力端子信号は絶縁部７を介してゲートアレー９中のＩ／Ｏインターフェイス部９へ接続される。ＣＰＵ４は、ゲートアレー５へ入力された信号の電圧の大きさを検出してその信号の大きさにより接点入力端子信号かでデジタルパルス信号を出力する回転検出器１９のデジタルパルス信号かを判別することができる。通常は接点入力端子信号の電圧レベルが回転検出器１９のデジタルパルス信号レベルより大きい。ＣＰＵ４は、ゲートアレー５へ入力された信号の電圧の大きさを検出し、どちらの信号かを判別しその判定した方へ端子機能切替部６を使用して接続を切替える。
【０００９】
図２は、本発明のインバータ装置の構成を示す図である。図２において、１はインバータ主回路部、２はモータ、３はインバータ主回路部パワートランジスタ（ＩＧＢＴ）のゲートを駆動するゲート駆動回路、４はＣＰＵ、５はゲートアレー、６は端子機能切替部、７はゲートアレー５へ入力する電気信号を電気絶縁部する絶縁部、９はＩ／Ｏインターフェイス部、１０はカウンタ、１９は回転検出器、１６は回転検出器から出力されるＡ相信号、１７はＢ相信号、１８はＣ相信号である。Ａ相信号１６、Ｂ相信号１７、Ｃ相信号１８は接点入力端子と共通の端子に接続する。図２が図１と異なる点は回転検出器１９とその出力信号１６〜１８が共通の端子に接続されている部分である。その他の部分は図１と同じである。
【００１０】
図２の回転検出器１９を使用する場合は、１９から送られてきたＡ相信号１６、Ｂ相信号１７、Ｃ相信号１８それぞれのパルス信号を７によって絶縁し、その信号をゲートアレー５の外部端子のポートと同一のポートに接続する。ＣＰＵ４は、ゲートアレー５へ入力された信号の電圧の大きさを検出し、どちらの信号かを判別しその判定した方へ端子機能切替部６を使用して接続を切替える。そしてゲートアレー５のカウンタはパルスをカウントし、ＣＰＵ４がそのカウント値を監視しながらモータ２の回転速度を検出することができる。
【００１１】
端子機能切替部６の切替えは信号レベルを検出してその大きさに基づいて接点入力端子信号かデジタルパルス信号を出力する回転検出器１９のデジタルパルス信号かを判別し切替える。この切替えについてはインバータのデータ初期設定の際に該当する外部端子を接点入力信号用とするかあるいは回転検出器１９のデジタルパルス信号用とするかを選択するようにしてもよい。標準的には暗黙的に該当端子を接点入力用としておき、デジタルパルス信号用パラメータとして使う場合は初期設定時にパラメータ設定する。このようにすると信号レベルを検出し、その信号レベルによる判別をする必要がなくなることからＣＰＵ４の負担を減らすことができる。
【図面の簡単な説明】
【００１２】
【図１】本発明の方法を適用するインバータ装置のＩ／Ｏ端子として使用する場合の構成を示すブロック図
【図２】本発明の方法を適用するインバータ装置の回転検出器用端子として使用する場合の構成を示すブロック図
【図３】従来の技術における構成を示すブロック図
【符号の説明】
【００１３】
１  インバータ主回路部
２  モータ
３  ゲート駆動回路
４、１２  ＣＰＵ
５  ゲートアレー
６  端子機能切替部
７  絶縁部
８  接点入力端子
９  Ｉ／Ｏインターフェイス部
１０  カウンタ
１１  ゲート駆動回路
１３  ゲートアレー
１４  端子機能切替
１５  絶縁部
１６  Ａ相信号
１７  Ｂ相信号
１８  Ｃ相信号
１９  回転検出器
【図１】
2009027864.tif 000003
【図２】
2009027864.tif 000004
【図３】
2009027864.tif 000005